(57)【要約】【課題】刈取部の刈取フレームと昇降用シリンダとの連結部に補強部材を簡単に取り付けて、この連結部かかる負荷を分散し、刈取フレームの破損を防止する。【解決手段】走行機体の前部に昇降用シリンダ６０にて昇降可能に設けたコンバインの刈取部７において、この昇降用シリンダ６０を刈取フレームの縦伝動ケース２１に連結するための連結部材７０に補強部材を一体的に設け、この連結部材７０を刈取フレームに沿って延出し複数箇所で固定した。【選択図】図７
2007244213.tif 000002
【特許請求の範囲】
【請求項１】
走行機体の前部に昇降用シリンダにて昇降可能に設けたコンバインの刈取部において、前記昇降用シリンダを刈取フレームに連結するための連結部材に補強部材を一体的に設け、この連結部材を刈取フレームに沿って延出して複数箇所で固定したことを特徴とするコンバインの刈取部。
【請求項２】
前記連結部材は締結部材により刈取フレームに取付部材を介して固定したことを特徴とする請求項１に記載のコンバインの刈取部。
【請求項３】
前記連結部材を刈取フレームに固定するための締結孔は、この刈取フレームに沿って延びる長孔としたことを特徴とする請求項２に記載のコンバインの刈取部。
【発明の詳細な説明】
【技術分野】
【０００１】
本発明は、走行機体の前部に昇降用シリンダにて昇降可能に設けたコンバインの刈取部に関する。
【背景技術】
【０００２】
従来から、コンバインでは走行機体の機体フレームの前部に左右一対の支持台が立設されて、この支持台上に刈取フレームの後部に備えた刈取入力ケースを回転自在に横架され、この刈取入力ケースから前方に延設した刈取フレームの縦伝動ケースと機体フレームとの間に昇降用シリンダが介装されて、この昇降用シリンダの伸縮動作により刈取部が昇降可能なように構成されていた（例えば、特許文献１参照。）。ここで、刈取部と昇降用シリンダとは刈取フレームの縦伝動ケースに固定された連結部材を介して連結されていた。
【特許文献１】特開２００４−５７０９１号公報
【発明の開示】
【発明が解決しようとする課題】
【０００３】
従来のコンバインの刈取部では、応力が集中しやすい刈取フレームの縦伝動ケースに連結部材が一箇所で固定され、この連結部材を介して刈取部が刈取フレームで昇降用シリンダと連結されていたため、刈取部の昇降時に刈取フレームの昇降用シリンダとの連結部に過大な荷重がかかり刈取フレームに破損が生じることがあった。
【課題を解決するための手段】
【０００４】
本発明の解決しようとする課題は以上の如くであり、次にこの課題を解決するための手段を説明する。
【０００５】
即ち、請求項１においては、走行機体の前部に昇降用シリンダにて昇降可能に設けたコンバインの刈取部において、前記昇降用シリンダを刈取フレームに連結するための連結部材に補強部材を一体的に設け、この連結部材を刈取フレームに沿って延出して複数箇所で固定したものである。
【０００６】
請求項２においては、前記連結部材は締結部材により刈取フレームに取付部材を介して固定したものである。
【０００７】
請求項３においては、前記連結部材を刈取フレームに固定するための締結孔は、この刈取フレームに沿って延びる長孔としたものである。
【発明の効果】
【０００８】
本発明の効果として、以下に示すような効果を奏する。
【０００９】
請求項１においては、前記連結部材により刈取フレームの昇降用シリンダとの連結部にかかる荷重を周囲に分散させて、刈取フレームの破損を防止することができる。また、補強部材を連結部材と一体としたので、部品点数を削減でき、さらに刈取フレームに簡単に取り付けることができる。
【００１０】
請求項２においては、前記連結部材を刈取フレームに容易に取り付けることが可能となり、従来の連結部材と交換して後付けで取り付けることもできる。
【００１１】
請求項３においては、前記連結部材を高精度に加工する必要がなく、刈取フレームに確実に締結固定することが可能となる。
【発明を実施するための最良の形態】
【００１２】
次に、発明の実施の形態を説明する。
【００１３】
図１はコンバインの全体側面図、図２はコンバインの全体平面図、図３は刈取部の側面図、図４は穂部ガイド板の取付構造を示す側面図、図５は穂部ガイド板の支持部の断面図、図６は上部搬送ケースの配置構造を示す図、図７は刈取フレームと昇降用シリンダとの連結部の構造を示す側面図、図８は刈取フレームと昇降用シリンダとの連結部の構造を示す底面図である。
【００１４】
図１、図２に示すように、コンバインにおいては、トラックフレーム１の左右にクローラ式走行装置２が設けられ、トラックフレーム１の上に機体フレーム３が配設されている。機体フレーム３の上には脱穀部４が設けられ、この脱穀部４に扱胴５や当該扱胴５の側方に配設されたフィードチェン６などが備えられている。そして、脱穀部４の前方に刈取部７が設けられ、後方に排藁処理部８が設けられている。この排藁処理部８には排藁チェン９が備えられ、この排藁チェン９の始端がフィードチェン６の終端に臨むように配置されている。
【００１５】
また、脱穀部４の側方に当該脱穀部４からの穀粒を揚穀筒１１を介して搬入する穀物タンク１０が設けられ、この穀物タンク１０の後方及び上方に穀物タンク１０内の穀粒を機外に排出する排出オーガ１２が設けられている。穀物タンク１０の前方には操向ハンドルなどからなる運転操作部１３や運転席１４を備える運転キャビン１５が設けられ、この運転キャビン１５の下方にエンジン１６やトランスミッション１７が設けられている。こうして、コンバインはエンジン１６の駆動によって圃場を走行移動しながら穀稈を刈取部７で連続的に刈取り、脱穀部４で脱穀することができるように構成されている。
【００１６】
図３、図４に示すように、このようなコンバインでは機体フレーム３の前端部の脱穀部４側に左右一対の支持フレーム３ａが立設され、各支持フレーム３ａの上部に割パイプ受部材１８が設けられている。また、刈取部７の後部に刈取入力ケース２０が左右方向に設けられ、この刈取入力ケース２０にエンジン１６からの動力を伝達する刈取入力軸１９が内挿されている。そして、この刈取入力ケース２０がその両端部で割パイプ受部材１８を介して左右の支持フレーム３ａの上部に回転自在かつ着脱自在に支持されて、脱穀部４の直前にて機体左右方向に水平に横設されている。
【００１７】
前記刈取入力ケース２０の中間部からは前斜下方に向けて縦伝動ケース２１が一体延設され、この縦伝動ケース２１の先端部に横伝動ケース２２が中間部で一体連結されて、機体左右方向に水平に横架支持されている。横伝動ケース２２には横連結フレーム２３によって一体連結された連結フレーム２４が後部で一体連結されて、この横伝動ケース２２から機体前方に向けて平行に一体延設されている。
【００１８】
さらに、横伝動ケース２２の左側端部から前斜上方に向けて引起伝動ケース２５が立設されるとともに、右側端部から前斜上方に向けて図示しない支持フレームが立設されて、この引起伝動ケース２５と支持フレームの上端部の間に引起横伝動ケース２６が横設されている。引起横伝動ケース２６の中間部からは後斜下方に向けて連結フレーム２７が一体延設され、この連結フレーム２７の後端部に縦伝動ケース２１が中間部で連結されている。
【００１９】
こうして、刈取入力ケース２０や縦伝動ケース２１、横伝動ケース２２などから刈取部７の刈取フレームが一体的に形成され、この刈取フレームに刈り取る穀稈と未刈穀稈との分離および刈り取る穀稈の１条ごとの分離を行う分草板３１や分草後の未刈穀稈を起立させる引起装置３２、引起後の穀稈の株元側を掻き込む掻込装置３３、掻込時に穀稈の株元を切断する切断装置３４、切断後の刈取穀稈を脱穀部４まで搬送する各種の搬送装置などが組み付けられて刈取部７が構成されている。
【００２０】
前記刈取フレームにおいては、その前部に分草板３１と、引起ケース４１に駆動スプロケット４２にて駆動可能とされるタイン付きのチェン４３などを備えてなる引起装置３２が配設されている。引起装置３２は、引起ケース４１の上部を引起横伝動ケース２６から下方に延設した引起駆動ケース４４で固定し、下部を連結フレーム２４の中間部から上方に向けて立設された支持フレーム４５で固定することで支持されている。
【００２１】
そして、引起装置３２の後方にスターホイル４８や掻込ベルト４９などからなる掻込装置３３と、刈刃５０などからなる切断装置３４とが配設されている。切断装置３４の上方には掻込装置３３により掻き込まれた穀稈の株元側を後方に送る下部搬送装置５１が配設され、この下部搬送装置５１の上方に刈取後の穀稈の穂部側を後方へ送る上部搬送装置５２や穂先搬送装置５３が配置されている。上部搬送装置５２は前側上部搬送装置５２Ｆと後側上部搬送装置５２Ｒとからなり、これらの一部を前後に重複させて構成されている。
【００２２】
また、引起装置３２の後方には前側上部搬送装置５２Ｆや穂先搬送装置５３へ掻込装置３３による掻込後の穀稈の穂部をガイドする穂部ガイド板５４が配設されている。穂部ガイド板５４は多面形状の板体から構成され、引起装置３２の引起ケース４１の後部から後方に向けて延設されている。穂部ガイド板５４はその上端部で連結フレーム２７にステー２８を介して揺動可能に軸支されるとともに、上端部の一箇所で連結フレーム２７に前後摺動可能に支持され、また前端部の二箇所で引起ケース４１に上下摺動可能に支持されている。
【００２３】
前記穂部ガイド板５４の支持部は、具体的には図５に示すように、穂部ガイド板５４の前端部では左右一側に挟持金具５５を付設し、また引起ケース４１の後面に後方に向けて「Ｌ」字形状のステー５６を立設して、挟持金具５５にてステー５６を挟持する構成とされ、上端部では同様に穂部ガイド板５４に付設した挟持金具５５にて連結フレーム２７の下面に下方に向けて立設されたステー５６を挟持する構成とされている。こうして、穂部ガイド板５４を引起装置３２の振動に追従可能に支持することで、振動の影響などによる穂部ガイド板５４の亀裂発生の防止が図られている。
【００２４】
刈取フレームの後部においては、下部搬送装置５１の後方に穀稈の株元側を後方へ送る縦搬送装置５７が配設され、前側上部搬送装置５２Ｆの後方に穀稈の穂先側を搬送する後側上部搬送装置５２Ｒが配設されている。この後側上部搬送装置５２Ｒでは、図６に示すように、その上部搬送ケース５８のトランスミッション１７と近接する部分に切欠部５８ａが設けられて、この上部搬送ケース５８とトランスミッション１７との干渉が防止されている。そして、縦搬送装置５７の後方に穀稈の株元側をフィードチェン６に受け継ぐための補助搬送装置５９が配設されている。こうして刈取部７の搬送装置が刈取フレーム上に構成されて、この搬送装置により穀稈が刈取部７から脱穀部４に搬送可能とされている。
【００２５】
以上のようにしてコンバインが刈取部７で穀稈を刈り取って脱穀部４に搬送することができるように構成されている。そしてこのコンバインの刈取部７は刈取フレームの縦伝動ケース２１と走行機体の機体フレーム３との間に介装された昇降用シリンダ６０の伸縮動作によって刈取入力ケース２０を中心として昇降するように構成されている。ここで、昇降用シリンダ６０はその基部で機体フレーム３に上下回動自在に枢支され、ピストンロッド６０ａを刈取部７に向かって前方に突出するように配設されている。
【００２６】
また、図７、図８に示すように、前記縦伝動ケース２１は中空状に形成された前縦伝動ケース２１Ｆと後縦伝動ケース２１Ｒとからなり、前縦伝動ケース２１Ｆの後端と後縦伝動ケース２１Ｒの前端とに形成された互いのフランジ部２１Ｆａ・２１Ｒａをボルト６３により締結固定して構成されている。この縦伝動ケース２１は前縦伝動ケース２１Ｆの前端に形成されたフランジ部２１Ｆｂで横伝動ケース２２にボルト６４により締結固定され、後縦伝動ケース２１Ｒの後端で刈取入力ケース２０にボルトにより締結固定されている。
【００２７】
そして、縦伝動ケース２１にその下側に取り付けられた連結部材７０を介して機体フレーム３側から延出される昇降用シリンダ６０が連結されている。連結部材７０は当該連結部材７０を前後の固定部７０ａ・７０ｂと、前後方向中央の中央固定部７０ｃとを備えて縦伝動ケース２１に取り付けられるとともに、取付部材７１を介して昇降用シリンダ６０のピストンロッド６０ａ先端と連結される。そしてさらに、連結部材７０は左右一対の補強部７０ｄ・７０ｄと取付プレート７０ｈとを備え、左右の補強部７０ｄ・７０ｄを取付プレート７０ｈから垂設し前後方向に延設して、断面視略「Π」字状に一体成形されている。
【００２８】
連結部材７０の前後の固定部７０ａ・７０ｂのうち、前固定部７０ａは前縦伝動ケース２１の前側フランジ部２１Ｆｂの直後まで延設された補強部７０ｄ・７０ｄの前端に設けられ、前側フランジ部２１Ｆｂに前取付部材７３を介して固定される。一方、後固定部７０ｂは後縦伝動ケース２１Ｒの前端に設けたフランジ部２１Ｒａよりも更に後方に延設された補強部７０ｄ・７０ｄの後部に設けられ、フランジ部２１Ｒａに後取付部材７６を介して固定される。
【００２９】
中央固定部７０ｃは補強部７０ｄ・７０ｄを固設した取付プレート７０ｈの前部を左右両側に配置したボルトなどの締結部材７２・７２・・・により前縦伝動ケース２１Ｆに固定される。こうして、前固定部７０ａと後固定部７０ｂと中央固定部７０ｃとにより、連結部材７０を前縦伝動ケース２１Ｆと後縦伝動ケース２１Ｒの両フランジ部２１Ｆａ・２１Ｒａと前縦伝動ケース２１Ｆ下面に分散して固定可能とすることで、一カ所の固定部に応力が集中することなく、縦伝動ケース２１に昇降用シリンダ６０を取り付けられるようになっている。
【００３０】
取付部材７１は前縦伝動ケース２１Ｆの後側フランジ部２１Ｆａの近傍から前方に延出する略同型の左右一対の板体から形成され、左右方向に所定間間隔をとって略平行に配置されて連結プレート７１ａにより連結される。取付部材７１はその前部と後部とで補強部７０ｄ・７０ｄにピンなどにより着脱可能に連結固定されている。また、取付部材７１の前後中央に枢支軸６５にて昇降用シリンダ６０のピストンロッド６０ａの先端部が枢支されている。
【００３１】
さらに、連結部材７０の取付構成を詳述すると、左右一対の補強部７０ｄ・７０ｄは略同一形状の板体で構成され、その前端が前取付部材７３から後方に突設した板状の突出部７３ａ・７３ａの両側に位置するように構成されている。左右一対の補強部７０ｄ・７０ｄの前端に設けられた前固定部７０ａには前後方向に長く構成した長孔からなる締結孔７０ｆがそれぞれ開口され、これに対応して前取付部材７３の突出部７３ａにネジ孔が位置を合わせて穿設されて、各補強部７０ｄの前端と前取付部材７３の突出部７３ａとが締結部材７５により固定されるようになっている。そして、前取付部材７３の左右面が前側フランジ部２１Ｆｂに締結部材７４により固定される。なお、補強部７０ｄ・７０ｄの前後中央部には下方に開放される凹部７０ｅが形成されて、補強部７０ｄ・７０ｄと昇降用シリンダ６０との干渉が防止されている。
【００３２】
そして、前縦伝動ケース２１Ｆの後側フランジ部２１Ｆａの直前に形成された連結部材７０の取付面に中央固定部７０ｃが設けられ、締結部材７２で締結固定されて、連結部材７０が中央位置で前縦伝動ケース２１Ｆに取り付けられている。この中央固定部７０ｃの下方に前記取付部材７１が配置される、この取付部材７１は左右一対の板体を平行に配置してなり、その前後両側にピン孔を開口し、ピンにより着脱可能に補強部７０ｄ・７０ｄに固定される。なお、取付部材７１および前縦伝動ケース２１Ｆの取付面は従来のままであり、本実施例はこれを変更することなく利用して、取付部材７１を前縦伝動ケース２１Ｆに連結部材７０を介して固定する構成となっている。
【００３３】
さらに、後縦伝動ケース２１Ｒのフランジ部２１Ｒａのすぐ後に後取付部材７６が配置され、これが後縦伝動ケース２１Ｒの下側でフランジ部２１Ｒａに締結部材７７で締結固定されている。そして、後取付部材７６の下側に後固定部７０ｂが配置されて、これが後取付部材７６に締結部材７８により締結固定され、これによって連結部材７０が後端位置で後縦伝動ケース２１Ｒに取り付けられている。
【００３４】
前記後固定部７０ｂにおいては、補強部７０ｄ・７０ｄの後端の上面には連結プレート７０ｊが横設され、この連結プレート７０ｊに締結孔７０ｇ・７０ｇとして長孔が前後方向に長く形成され、これに対応して後取付部材７６にネジ孔が位置を合わせて穿設されている。こうして、連結部材７０を昇降用シリンダ６０に取り付ける場合には、まず、中央固定部７０ｃを前縦伝動ケース２１Ｆを締結部材７２により固定し、その次に、前取付部材７３と後取付部材７６に補強部７０ｄ・７０ｄを固定するように構成されている。このとき補強部７０ｄおよび連結プレート７０ｊにはそれぞれ締結孔７０ｆ・７０ｇとして長孔が開口されているため、補強部７０ｄ・７０ｄを固定するための精度が高く要求されず、補強部７０ｄを前取付部材７３と後取付部材７６を介して縦伝動ケース２１に確実に締結固定することが可能となる。
【００３５】
このように、走行機体の前部に昇降用シリンダ６０にて昇降可能に設けたコンバインの刈取部７において、この昇降用シリンダ６０を刈取フレームの縦伝動ケース２１に連結するために連結部材７０を一体的に設け、この連結部材７０を刈取フレームに沿って延出し複数箇所で固定したので、連結部材７０により刈取フレームの昇降用シリンダとの連結部にかかる荷重を周囲に分散させて、刈取フレームの破損を防止することができる。また、補強部材を連結部材７０と一体としたので、部品点数を削減でき、さらに刈取フレームに簡単に取り付けることができる。
【００３６】
また前記コンバインの刈取部において、前記連結部材７０は締結部材７２・７４・７７により刈取フレームの縦伝動ケース２１に前後および中央の取付部材７１・７３・７６を介して固定したので、連結部材７０を縦伝動ケース２１に容易に取り付けることが可能となり、従来の連結部材と交換して後付けで取り付けることもできる。
【００３７】
またさらに前記コンバインの刈取部において、前記連結部材７０を刈取フレーム即ち縦伝動ケース２１に固定するための締結孔７０ｆ・７０ｇは、この縦伝動ケース２１に沿って延びる長孔としたので、連結部材７０を高精度に加工する必要がなく、縦伝動ケース２１に確実に締結固定することが可能となる。
【図面の簡単な説明】
【００３８】
【図１】コンバインの全体側面図。
【図２】コンバインの全体平面図。
【図３】刈取部の側面図。
【図４】穂部ガイド板の取付構造を示す側面図。
【図５】穂部ガイド板の支持部の断面図。
【図６】上部搬送ケースの配置構造を示す図。
【図７】刈取フレームと昇降用シリンダとの連結部の構造を示す側面図。
【図８】刈取フレームと昇降用シリンダとの連結部の構造を示す底面図。
【符号の説明】
【００３９】
７    刈取部
２１    縦伝動ケース
６０    昇降用シリンダ
７０    連結部材
７１    取付部材
７２    締結部材
７３    取付部材
７４    締結部材
７５    締結部材
７６    取付部材
７７    締結部材
【図１】
2007244213.tif 000003
【図２】
2007244213.tif 000004
【図３】
2007244213.tif 000005
【図４】
2007244213.tif 000006
【図５】
2007244213.tif 000007
【図６】
2007244213.tif 000008
【図７】
2007244213.tif 000009
【図８】
2007244213.tif 000010